(57)【要約】【課題】衣類の洗浄効率を高めることができるように改良された濾過蒸留装置を提供することを主要な目的とする。【解決手段】濾過蒸留装置１３はフィルタ装置２を備える。フィルタ装置２に内蔵されるフィルタは、中空部が形成された筒状の壁を有し、該筒状の壁を、その表面から中空部に向けて、付着物を含む有機溶剤を通過させることにより、その壁のろ過作用によって、中空部から清浄な有機溶剤を取り出す。フィルタをモータ１９により軸回転させ、該フィルタの表面に付着したスラッジを、フィルタの外側に滞留している有機溶剤中に払い落とす。スラッジを含む有機溶剤を貯留容器１４内に自然落下させ、スラッジを多く含む比重の重い有機溶剤２０ｂと、比重の軽い有機溶剤２０ａに分離する。比重の軽い有機溶剤２０ａは濾過して直接ベースタンク３に返し、スラッジを多く含む比重の重い有機溶剤２０ｂは蒸留器１５で蒸留精製し、ベースタンク３に返す。【選択図】図１
2007203179.tif 000002
【特許請求の範囲】
【請求項１】
ベースタンクから洗浄槽に送り込まれて衣類をドライクリーニングする有機溶剤を、濾過し、蒸留するための濾過蒸留装置であって、
中空部が形成された筒状の壁を有し、該筒状の壁を、その表面から前記中空部に向けて、付着物を含む有機溶剤を通過させることにより、その壁のろ過作用によって、前記中空部から清浄な有機溶剤を取り出すフィルタと、
前記フィルタを軸回転させ、該フィルタの表面に付着した付着物を、前記フィルタの外側に滞留している有機溶剤中に払い落とすフィルタ回転手段と、
前記フィルタの下部に設けられ、自然落下してくる、払い落とされた前記付着物を含む有機溶剤を受け止め、一時的に貯留する貯留容器と、
前記貯留容器に設けられ、該貯留容器内の上方部の有機溶剤と下方部の有機溶剤を分離して排出する分離手段と、
分離された下方部の有機溶剤を蒸留する蒸留器とを備えた濾過蒸留装置。
【請求項２】
前記フィルタ回転手段は、
前記フィルタの前記中空部に挿入され、該フィルタを支えるととともに、該フィルタを軸回転させるフィルタ支軸と、
前記フィルタ支軸を軸回転させるモータと、
前記フィルタ支軸の表面に設けられた突起物と、
前記フィルタの中空部の内面に設けられ、前記突起物が係合し、前記フィルタ支軸の回転に伴って、該フィルタを軸回転させるための受け部材とを備える、請求項１に記載の濾過蒸留装置。
【請求項３】
前記分離手段は、
その一端が前記貯留容器の下方部に接続され、かつその他方端が前記蒸留器に接続され、さらにその管路の開閉を行う開閉バルブを有する蒸留器側管路と、
その一端が前記貯留器の、前記上方部と前記下方部の境界部に接続され、かつその他方端が前記ベースタンクに接続され、さらにその管路の開閉を行う開閉バルブを有するベースタンク側管路と、を備える請求項１または２に記載の濾過蒸留装置。
【請求項４】
前記ベースタンク側管路は、前記貯留器の上方部と下方部とが、貯留する有機溶剤の容積比で１：３〜３：１になるように、位置を選んで、前記貯留器に接続されている、請求項３に記載の濾過蒸留装置。
【請求項５】
前記貯留器の上方部には、該上方部にある有機溶剤を濾過して前記ベースタンクに送り込むための濾過部材が設けられている、請求項１から４のいずれか１項に記載の濾過蒸留装置。
【請求項６】
前記蒸留器側管路は、前記貯留容器から前記蒸留器に前記有機溶剤が自然落下するように配置されており、
前記ベースタンク側管路は、前記貯留容器から前記ベースタンクに前記有機溶剤が自然落下するように配置されている、請求項３に記載の濾過蒸留装置。
【請求項７】
前記貯留容器には内部の様子を外部から観察するための窓が設けられている、請求項１から６のいずれか１項に記載の濾過蒸留装置。
【請求項８】
前記貯留器の下方部は、下方向に細るテーパ形状にされている、請求項１から７のいずれか１項に記載の濾過蒸留装置。
【請求項９】
中空部が形成された筒状の壁を有し、該筒状の壁を、その表面から前記中空部に向けて、付着物を含む有機溶剤を通過させることにより、その壁のろ過作用によって、前記中空部から清浄な有機溶剤を取り出すフィルタにおいて、
前記フィルタの中空部の内面に、前記中空部に挿入されるフィルタ支軸の表面に設けられた突起部が係合し、前記フィルタ支軸の回転に伴って、該フィルタを軸回転させるための受け部材が設けられていることを特徴とするフィルタ。
【請求項１０】
有機溶剤を蓄えるベースタンクと、
衣類を前記有機溶剤で洗濯する洗浄槽と、
前記有機溶剤を濾過して蒸留精製し、前記ベースタンクに戻す濾過蒸留手段とを備え、
前記濾過蒸留手段は、
中空部が形成された筒状の壁を有し、該筒状の壁を、その表面から前記中空部に向けて、付着物を含む有機溶剤を通過させることにより、その壁のろ過作用によって、前記中空部から清浄な有機溶剤を取り出すフィルタと、
前記フィルタを軸回転させ、該フィルタの表面に付着した付着物を、前記フィルタの外側に滞留している有機溶剤中に払い落とすフィルタ回転手段と、
前記フィルタの下部に設けられ、自然落下してくる、払い落とされた前記付着物を含む有機溶剤を受け止め、一時的に貯留する貯留容器と、
前記貯留容器に設けられ、該貯留容器内の上方部の有機溶剤と下方部の有機溶剤を分離して排出する分離手段と、
分離された下方部の有機溶剤を蒸留する蒸留器と、を備えたドライクリーニング装置。
【請求項１１】
ベースタンクに蓄えられ、かつ洗浄槽に供給されて衣類を洗浄する有機溶剤の精製方法であって、
洗浄後の有機溶剤を比重の重い部分と比重の軽い部分の２つに分け、
比重の重い部分を選択的に取り出して、蒸留精製し、前記ベースタンクに戻し、
比重の軽い部分は前記ベースタンクに直接戻すことを特徴とする有機溶剤の精製方法。
【請求項１２】
前記比重の軽い部分を、前記ベースタンクに戻す前に、濾過することを特徴とする、請求項１１に記載の有機溶剤の精製方法。
【請求項１３】
ベースタンクから洗浄槽に送り込まれて衣類をドライクリーニングする有機溶剤を、フィルタで濾過し、蒸留するための濾過蒸留装置において、
前記フィルタの表面に付着したスラッジを除去するスラッジ除去手段を設けたことを特徴とする濾過蒸留装置。
【発明の詳細な説明】
【技術分野】
【０００１】
本発明は一般に濾過蒸留装置に関するものであり、より特定的には有機溶剤の精製を効率よく行うことができるように改良された濾過蒸留装置に関する。この発明はまた、そのような濾過蒸留装置に用いられる、その寿命を長くすることができるように改良されたフィルタに関する。この発明はまたそのような濾過蒸留装置が取り付けられたドライクリーニング装置に関する。この発明はまたドライクリーニング用有機溶剤の精製を効率よく行うことができるようにされた有機溶剤の精製方法に関する。
【背景技術】
【０００２】
ほとんどのクリーニング店では、水洗いすると縮みが出たり、色褪せたりする衣類を、安全に洗うために、ドライクリーニングする。ドライクリーニングは有機溶剤を使用して衣類を洗濯する方法である。一般に使用される有機溶剤はドライゾールである。
【０００３】
図４は、従来のドライクリーニング装置の概念図である。従来のドライクリーニング装置は、衣類を有機溶剤で洗浄する洗浄槽１と、有機溶剤を濾過するフィルタ装置２と、有機溶剤を蓄えるベースタンク３を備える。洗浄槽１とフィルタ装置２は外枠１２内に納められている。有機溶剤は、ポンプＰにより、ベースタンク３からフィルタ装置２に送られ、濾過され、洗浄槽１に送られ、衣類の洗浄に供される。有機溶剤は、これらの間を循環する。フィルタ装置２は、有機溶剤中のスラッジ（土埃その他の汚れ成分）を除去し、スラッジが洗浄槽１内の衣類に再付着するのを防止する役割を果たしている。
【０００４】
図５（Ａ）は、従来のフィルタ装置２の概念的斜視図である。フィルタ装置２は、外容器４と、外容器４内に装填されるカートリッジ式の、中空部５を有する中空のフィルタ６とからなる。中空部５内には、フィルタ６を支えるフィルタ支軸７が挿入されている。
【０００５】
図５（Ｂ）は、図５（Ａ）におけるＢ−Ｂ線に沿う断面図である。図５（Ｂ）を参照して、フィルタ６の最外層は不織布３１で構成され、その内面をメッシュ網３２が被覆し、さらにその内面をメッシュ網３２を保護するためのパンチ孔を有する金物３３が被覆し、その内側に粒状のカーボン層３４が設けられ、その内側をメッシュ網３５が被覆し、さらにその内側を、約３ｍｍの厚みの、パンチ孔を有する金物３６が被覆している。
【０００６】
図６はフィルタ６の動作を説明するための図であり、図５（Ｂ）に相当する断面図で表しているが、図面を簡単にするために、フィルタ６のハッチングは簡略化させている。図６（Ａ）を参照して、フィルタ６は、中空部５を有する筒状形状を有する。衣類の洗浄に供され、汚染された有機溶剤８は矢印で示すようにフィルタ６の壁部材を通って濾過され、中空部５に向かう。このとき、図６（Ｂ）を参照して、スラッジ（土埃その他の汚れ成分）９などが除去され、中空部５から清浄な有機溶剤１０が取り出され、図４を再び参照して、洗浄槽１に送り込まれる。
【０００７】
従来のドライクリーニング装置は以上のように構成されているので、５００〜６００回液を回して、洗濯すると（５００〜６００ワッシャという）、図６（Ｂ）を参照して、フィルタ６の表面にスラッジ９がたまり、たまったスラッジ９でフィルタ６の目詰まりを起こす。従って、従来装置では、５００〜６００ワッシャで、フィルタ６を新しいものに交換する必要があった。しかし、フィルタ６は高価なものであり、わずか５００〜６００ワッシャで廃棄するのは、経済的に大きな損失であった。
【０００８】
第２の従来例として、図７に示すドライクリーニング装置も用いられている。図４に示す装置と同一部分には同一の参照番号を付し、その説明を繰り返さない。この従来装置では、ベースタンク３から汚れた有機溶剤を一部取り出し、これを蒸留して精製する蒸留器１１を備える。蒸留器１１で精製された有機溶剤はベースタンク３に戻され、フィルタ２、洗浄槽１を循環する。
【発明の開示】
【発明が解決しようとする課題】
【０００９】
上記第２の従来例では、蒸留器１１を備えるために、汚れ成分が蒸留器１１で除かれた分、フィルタ６の目詰まりの程度は減少する。しかしながら、ベースタンク３から汚れた有機溶剤の一部だけを取り出して精製する方法では、ベースタンク３の容量は例えば４００Ｌであり、蒸留器１１の容量は例えば８０Ｌであるので、汚れた有機溶剤の大部分が精製されずにベースタンク３内に残り、フィルタ２、洗浄槽１を循環する。したがって、第２の従来例でも、フィルタの寿命は短いものであった。また、スラッジが十分に除去できないために、衣類の洗浄効率が悪いという問題点があった。
【００１０】
本発明は、このような問題点を解決するためになされたもので、スラッジの除去が十分に行えるように改良された濾過蒸留装置を提供することを目的とする。
【００１１】
この発明の他の目的は、フィルタを長持ちさせることができるように改良された濾過蒸留装置を提供することにある。
【００１２】
この発明のさらに他の目的は、長持ちさせることができるように改良されたフィルタを提供することにある。
【００１３】
この発明のさらに他の目的は、衣類の洗浄効率を高めることができるように改良されたドライクリーニング装置を提供することにある。
【００１４】
この発明はまた有機溶剤の精製を効率よく行うことができるようにされた有機溶剤の精製方法を提供することにある。
【課題を解決するための手段】
【００１５】
本発明にかかる濾過蒸留装置は、ベースタンクから洗浄槽に送り込まれて衣類をドライクリーニングする有機溶剤を、濾過し、蒸留するための濾過蒸留装置である。当該装置は、中空部が形成された筒状の壁を有し、該筒状の壁を、その表面から上記中空部に向けて、付着物を含む有機溶剤を通過させることにより、その壁のろ過作用によって、上記中空部から清浄な有機溶剤を取り出すフィルタと、上記フィルタを軸回転させ、該フィルタの表面に付着した付着物を、上記フィルタの外側に滞留している有機溶剤中に払い落とすフィルタ回転手段とを備える。上記フィルタの下部に、自然落下してくる、払い落とされた上記付着物を含む有機溶剤を受け止め、一時的に貯留する貯留容器が設けられている。上記貯留容器に、該貯留容器内の上方部の有機溶剤と下方部の有機溶剤を分離して排出する分離手段が設けられている。当該装置はさらに、分離された下方部の有機溶剤を蒸留する蒸留器を備える。
【００１６】
本発明にかかる濾過蒸留装置によれば、フィルタの表面に付着した付着物を、上記フィルタの外側に滞留している有機溶剤中に払い落とすフィルタ回転手段を備えるので、フィルタを何回も再生させることができる。また、スラッジを多く含む有機溶剤は比重は重く、貯留容器内の下方部に溜まることを利用し、これを選択的に取り出して蒸留するので、精製された有機溶剤のみがベースタンク、フィルタ装置を循環する。ひいては、フィルタの寿命も延びることになる。
【００１７】
この発明の好ましい実施態様によれば、上記フィルタ回転手段は、上記フィルタの上記中空部に挿入され、該フィルタを支えるととともに、該フィルタを軸回転させるフィルタ支軸と、上記フィルタ支軸を軸回転させるモータと、上記フィルタ支軸の表面に設けられた突起物と、上記フィルタの中空部の内面に設けられ、上記突起物が係合し、上記フィルタ支軸の回転に伴って、該フィルタを軸回転させるための受け部材とを備える。
【００１８】
上記フィルタが軸回転することにより、上記フィルタの表面に付着している付着物は払い落とされる。
【００１９】
この発明のさらに好ましい実施態様によれば、上記分離手段は、その一端が上記貯留容器の下方部に接続され、かつその他方端が上記蒸留器に接続され、さらにその管路の開閉を行う開閉バルブを有する蒸留器側管路と、その一端が上記貯留器の、上記上方部と上記下方部の境界部に接続され、かつその他方端が上記ベースタンクに接続され、さらにその管路の開閉を行う開閉バルブを有するベースタンク側管路とを備える。
【００２０】
このように構成することにより、スラッジを多く含む比重の重い有機溶剤と、スラッジを余り含まない比重の軽い有機溶剤に分離させて、それぞれ別個に貯留容器から排出させることができる。
【００２１】
上記ベースタンク側管路は、上記貯留器の上方部と下方部とが、貯留する有機溶剤の容積比で１：３〜３：１になるように、位置を選んで、上記貯留器に接続されているのが好ましい。このように位置を選ぶことにより、比重の重い有機溶剤を選択的に効率よく分離することができる。
【００２２】
上記貯留器の上方部には、該上方部にある有機溶剤を濾過して上記ベースタンクに送り込むための濾過部材が設けられているのが好ましい。上方部にある比重の軽い有機溶剤は蒸留器に送られないが、これはもともとスラッジを余り含まない、また濾過部材によって、大きな埃等が除かれるので、清浄な有機溶剤がベースタンクに送られることになる。
【００２３】
上記蒸留器側管路は、上記貯留容器から上記蒸留器に上記有機溶剤が自然落下するように配置されており、上記ベースタンク側管路は、上記貯留容器から上記ベースタンクに上記有機溶剤が自然落下するように配置されている。このように構成すると、動力を使わず、有機溶剤を移動させることができ、経済的に有利となる。
【００２４】
上記貯留容器には内部の様子を外部から観察するための窓が設けられているのが好ましい。窓から貯留容器内を観察できると、貯留容器内の有機溶剤の液面の位置を確認することができる。
【００２５】
上記貯留器の下方部は、下方向に細るテーパ形状にされているのが好ましい。下方部をテーパにすることにより、下方部にある有機溶剤を残すことなく、全て蒸留器に送り込むことが出来る。
【００２６】
この発明の他の局面に従うフィルタは、中空部が形成された筒状の壁を有し、該筒状の壁を、その表面から上記中空部に向けて、付着物を含む有機溶剤を通過させることにより、その壁のろ過作用によって、上記中空部から清浄な有機溶剤を取り出すフィルタにかかる。そして、上記フィルタの中空部の内面に、上記中空部に挿入されるフィルタ支軸の表面に設けられた突起部が係合し、上記フィルタ支軸の回転に伴って、該フィルタを軸回転させるための受け部材が設けられている。
【００２７】
当該フィルタが回転することによって、フィルタの表面に溜まっているスラッジが、遠心力等により、フィルタの表面に滞留している有機溶剤中に払い落とされるのである。
【００２８】
この発明のさらに他の局面にかかるドライクリーニング装置は、有機溶剤を蓄えるベースタンクと、衣類を上記有機溶剤で洗濯する洗浄槽と、上記有機溶剤を濾過して蒸留精製し、上記ベースタンクに戻す濾過蒸留手段とを備える。上記濾過蒸留手段は、中空部が形成された筒状の壁を有し、該筒状の壁を、その表面から上記中空部に向けて、付着物を含む有機溶剤を通過させることにより、その壁のろ過作用によって、上記中空部から清浄な有機溶剤を取り出すフィルタと、上記フィルタを軸回転させ、該フィルタの表面に付着した付着物を、上記フィルタの外側に滞留している有機溶剤中に払い落とすフィルタ回転手段と、上記フィルタの下部に設けられ、自然落下してくる、払い落とされた上記付着物を含む有機溶剤を受け止め、一時的に貯留する貯留容器と、上記貯留容器に設けられ、上方部の有機溶剤と下方部の有機溶剤を分離して排出する分離手段と、分離された下方部の有機溶剤を蒸留する蒸留器とを備える。
【００２９】
この発明のさらに他の局面に従う方法は、ベースタンクに蓄えられ、かつ洗浄槽に供給されて衣類を洗浄する有機溶剤の精製方法にかかる。まず、洗浄後の有機溶剤を比重の重い部分と比重の軽い部分の２つに分ける。比重の重い部分を選択的に取り出して、蒸留精製し、上記ベースタンクに戻す。比重の軽い部分は上記ベースタンクに直接戻す。
【００３０】
この発明によれば、スラッジを多く含む有機溶剤は比重が重いので、貯留容器内の下方部に溜まり、これが選択的に取り出され蒸留される。一方、蒸留の必要のない、スラッジを含まない比重の軽い有機溶剤は蒸留せずに、直接上記ベースタンクに戻す。したがって、有機溶剤の精製効率が良くなる。
【００３１】
この発明の好ましい実施態様によれば、上記比重の軽い部分を、上記ベースタンクに戻す前に、濾過することを特徴とする。
【００３２】
上方部にある有機溶剤は蒸留器に送られないが、濾過部材によって、大きな埃等が除かれ、清浄な有機溶剤がベースタンクに送られることになる。
【００３３】
この発明の他の局面に従う濾過蒸留装置は、ベースタンクから洗浄槽に送り込まれて衣類をドライクリーニングする有機溶剤を、フィルタで濾過し、蒸留するための濾過蒸留装置において、上記フィルタの表面に付着したスラッジを除去するスラッジ除去手段を設けたことを特徴とする。
【発明の効果】
【００３４】
本発明によれば、フィルタに付着した付着物を除去できるので、フィルタを何回も再生させることができる。また、スラッジを多く含む有機溶剤は比重が重く、貯留容器内の下方部に溜まることを利用して、スラッジを多く含む有機溶剤を選択的に取り出し、蒸留するので、精製効率が良くなり、ひいては、十分に精製された有機溶剤がベースタンク、フィルタ装置、洗浄槽を循環する。ひいては、フィルタの寿命も延び、また衣類の洗浄効果も高まる。
【発明を実施するための最良の形態】
【００３５】
以下、本発明の実施の形態を添付図面を参照して説明する。
【００３６】
図１は、本発明の実施の形態に係るドライクリーニング装置の概念図である。図４に示す従来技術と同一部分には同一の参照番号を付し、その説明を繰り返さない。図１を参照して、本発明にかかる濾過蒸留装置１３は、ベースタンク３から洗浄槽１に送り込まれて衣類をドライクリーニングする有機溶剤を、濾過し、蒸留するものであり、フィルタ６を含むフィルタ装置２と貯留容器１４と蒸留器１５を備える。後述するように、フィルタ支軸１６はモータ１９によって回転する。
【００３７】
図２（Ａ）は、フィルタ装置２の概念的な斜視図であり、図２（Ｂ）は、図２（Ａ）におけるＢ−Ｂ線に沿う断面図である。これらの図を参照して、フィルタ装置２は、中空部５が形成された筒状の壁を有し、該筒状の壁を、矢印に示すように、その表面から中空部５に向けて、スラッジを含む有機溶剤を通過させることにより、その壁のろ過作用によって、中空部５から清浄な有機溶剤を取り出すフィルタ６を備える。
【００３８】
フィルタ６は、軸回転することによって、後述するように、その表面に付着したスラッジを、フィルタ６の外側に滞留している有機溶剤中に払い落とすことができるようになっている。図２（Ｂ）に示すように、フィルタ６の中空部５には、該フィルタ６を支えるととともに、該フィルタ６を軸回転させるフィルタ支軸１６が挿入されている。フィルタ支軸１６の表面に突起物１７が設けられている。フィルタ６の中空部５に面する内面には、フィルタ支軸１６の表面に設けられた突起物１７が係合し、フィルタ支軸１６の回転に伴って、該フィルタ６を軸回転させるための、パンチ孔を有する金物で形成された受け部材２８が設けられている。なお、フィルタ支軸１６の表面に突起物１７を設けることおよび受け部材２８を設けることを除いて、フィルタ６の断面図は、図５（Ｂ）に示す通りである。受け部材２８は、フィルタ６の内面に例えば溶接等で固定される。フィルタ支軸１６の表面の突起物１７が、フィルタ６の内面に設けられた受け部材２８に係合した状態で、図１に示すように、フィルタ支軸１６がモータ１９によって回転することにより、フィルタ６が回転する。
【００３９】
フィルタの他の態様として図２（Ｃ）に示すように、強度を増させるために、受け部材２８を周面上の４か所に設けても良い。このように構成すると、受け部材２８のそれぞれを小さくすることができ、中空部５の容積を広くとることができるという効果を奏する。
【００４０】
図１を再度参照して、フィルタ装置２の下部に、落下してくるフィルタ装置２内の有機溶剤を、払い落とされたスラッジとともに受け止め、一時的に貯留する貯留容器１４が設けられている。貯留容器１４の下方部は、下方向に細るテーパ形状にされている。
【００４１】
貯留容器１４には、該貯留容器１４内の上方部に位置する有機溶剤２０ａと下方部に位置する有機溶剤２０ｂを分離して排出する分離手段が設けられている。分離手段は、その一端が貯留容器１４の下方部に接続され、かつその他方端が蒸留器１５に接続され、さらにその管路の開閉を行う開閉バルブ２１を有する蒸留器側管路２２と、その一端が貯留容器１４の、上方部と下方部の境界部に接続され、かつその他方端がベースタンク３に接続され、さらにその管路の開閉を行う開閉バルブ２３を有するベースタンク側管路２４とから形成される。
【００４２】
ベースタンク側管路２４は、貯留容器１４の上方部と下方部とが、貯留する有機溶剤２０ａ、２０ｂの容積比で１：３〜３：１になるように、位置を選んで、貯留容器１４に接続されている。例えば、フィルタ装置２に収容される有機溶剤の容積が１５０Ｌの場合、ベースタンク側管路２４を取り付ける位置は、下方部の有機溶剤２０ｂの容積が８０Ｌ、上方部の有機溶剤２０ａの容積が７０Ｌになるように選ばれるのが好ましい。スラッジを多く含むものは、おおよそ８０Ｌであることが経験的に確認されているからである。
【００４３】
貯留容器１４の上方部には、比重の軽い有機溶剤２０ａを濾過してベースタンク３に送り込むための濾過部材２５が設けられている。
【００４４】
蒸留器側管路２２は、貯留容器１４から蒸留器１５に有機溶剤２０ｂが自然落下するように配置されており、ベースタンク側管路２４は、貯留容器１４からベースタンク３に有機溶剤２０ａが自然落下するように配置されている。貯留容器１４には、内部の様子を外部から観察するための窓２６が設けられている。
【００４５】
次に動作について説明する。
【００４６】
図３（Ａ）と図３（Ｂ）を参照して、スラッジを含む有機溶剤８が繰り返し、繰り返しフィルタ６で濾過されると、フィルタ６の表面にスラッジ９が蓄積される。この時、図３（Ｃ）と図１を参照して、フィルタ支軸１６をモータ１９により回転させる。このとき、フィルタ６の内面に設けられた受け部材２８に、フィルタ支軸１６の表面に設けられた突起物１７が係合し、フィルタ支軸１６の回転に伴って、該フィルタ６を軸回転させる。フィルタ６が軸回転することにより、遠心力等により、フィルタ６の表面に付着しているスラッジ９が、その表面から脱落し、有機溶剤８内に払い落とされる。
【００４７】
有機溶剤内に払い落とされたスラッジ９を有機溶剤８とともに、図１を参照して、フィルタ装置２と貯留容器１４を接続している管路を開閉バルブ２７で開くことにより、貯留容器１４内に、自然落下させる。これによって、図３（Ｄ）を参照して、フィルタ装置内は空になり、フィルタ６の表面からスラッジは取り除かれ、フィルタ６は再生する。
【００４８】
一方、図１を参照して、貯留容器１４内に自然落下したスラッジを含む有機溶剤は、少し放置しておくと、貯留容器１４内で、スラッジを多く含む比重の重い有機溶剤２０ｂと、スラッジを余り含まない比重の軽い有機溶剤２０ａの２層に分かれてくる。スラッジを多く含む比重の重い有機溶剤２０ｂは黒く濁っているので、両者の界面は一目瞭然である。両者が分離したのを窓２６から確認した後、まず、開閉バルブ２３を開けて、スラッジを余り含まない比重の軽い有機溶剤２０ａを濾過部材２５で濾して、ベースタンク側管路２４を介して、ベースタンク３に返す。比重の軽い有機溶剤２０ａは、濾過部材２５によって、大きな埃等が除かれ、清浄な有機溶剤となって、ベースタンク３に送られる。
【００４９】
次に、窓２６から、比重の軽い有機溶剤２０ａの液面の位置が所定部分まで下がったのを確認して、開閉バルブ２１を開け、スラッジを多く含む比重の重い有機溶剤２０ｂを蒸留器側管路２２を介して蒸留器１５に送り込む。このようにして、比重の重い有機溶剤を選択的に効率よく分離することができる。貯留容器１４の下方部を、下方向に細るテーパ形状にすることにより、下方部の液体を残すことなく、全て蒸留器１５に送り込むことが出来る。
【００５０】
蒸留器１５により、比重の重い有機溶剤２０ｂは蒸留され、スラッジが取り除かれ、ベースタンク３に返される。こうして、スラッジを効率よく除去することができる。
【００５１】
本実施例によれば、スラッジを多く含む有機溶剤２０ｂは比重が重く、貯留容器１４内の下方部に溜まることを利用して、スラッジを多く含む有機溶剤２０ｂだけを選択的に取り出し、蒸留するので、第２の従来例に比べて、有機溶剤の精製の効率が良くなり、ひいては、十分に精製された有機溶剤がベースタンク３、フィルタ装置２、洗浄槽１を循環する。ひいては、フィルタ６の寿命も延び、また衣類の洗浄効果も高まる。
【００５２】
なお、本実施例では、フィルタ支軸１６に設ける突起物１７の数を２本にし、フィルタ６の内面に設ける受け部材の数を２個又は４個にしているが、本発明はこの数に限られるものでなく、１本でもよいし、さらに数を増やしてもよい。
【００５３】
また、本実施例では、フィルタの内面に受け部材を固着する場合を例示したが、フィルタの内面に凹部を形成し、該凹部に、フィルタ支軸に設けた突起物を嵌合させ、フィルタ支軸の回転に伴って、該フィルタを軸回転させるようにしてもよい。
【００５４】
また、上記実施例では、スラッジ除去手段の具体例として、フィルタを軸回転させてスラッジを払い落とす場合を例示したが、この発明はこれに限られるものでなく、フィルタに振動を与える振動付与手段を設け、振動によってスラッジを払い落とすようにしてもよい。また、有機溶剤を、フィルタの外面より、又は外容器よりフィルタの表面に吹きつける吹き付け手段を設け、有機溶媒を吹き付けてスラッジを払い落とすようにしてもよい。また、フィルタに循環供給される有機溶媒を逆流させる逆流手段を設け、有機溶媒を強制的に逆流させることにより、フィルタの表面に付着しているスラッジを払い落とすようにしてもよい。
【００５５】
さらに有機溶剤としてドライゾールを例示したが、パーク等の他の溶剤であってもよい。
【００５６】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５７】
本発明のドライクリーニング装置によれば、十分に精製された有機溶剤がベースタンク、フィルタ装置、洗浄槽を循環するので、フィルタの寿命も延び、また衣類の洗浄効果も高まる。
【図面の簡単な説明】
【００５８】
【図１】本発明に係るドライクリーニング装置の概念図である。
【図２】本発明に用いるフィルタの概念図である。
【図３】本発明の動作を説明するための図である。
【図４】従来のドライクリーニング装置の概念図である。
【図５】従来のフィルタ装置の斜視図である。
【図６】従来のフィルタ装置の問題点を示す図である。
【図７】他の従来例にかかるドライクリーニング装置の概念図である。
【符号の説明】
【００５９】
１   洗浄槽
２   フィルタ装置
３   ベースタンク
４   外容器
５   中空部
６   フィルタ
７   フィルタ支軸
８   有機溶剤
９   スラッジ
１１ 蒸留器
１２ 外枠
１３ 濾過蒸留装置
１４ 貯留容器
１５ 蒸留器
１６ フィルタ支軸
１７ 突起物
１９ モータ
２０ａ      比重の軽い有機溶剤
２０ｂ      比重の重い有機溶剤
２１ 開閉バルブ
２２ 蒸留器側管路
２３ 開閉バルブ
２４ ベースタンク側管路
２５ 濾過部材
２６ 窓
２７ 開閉バルブ
２８ 受け部材
Ｐ   ポンプ
【図１】
2007203179.tif 000003
【図２】
2007203179.tif 000004
【図３】
2007203179.tif 000005
【図４】
2007203179.tif 000006
【図５】
2007203179.tif 000007
【図６】
2007203179.tif 000008
【図７】
2007203179.tif 000009